(57)【特許請求の範囲】
【請求項１】
特定の通信対象との間で所定の無線通信を行うための電子部品と、前記電子部品に電力を供給するための電池とがケースに収容され、前記ケースは、前記電池が配置される電池収容部が一側面に開口して形成されたケース本体と、弾性を有し前記電池収容部の開口部を囲繞する環状の防水部材と一体形成されるとともに前記電池収容部の開口部を覆う電池蓋とを備え、前記電池蓋は、前記防水部材の径方向に対する直交方向から前記ケース本体に取り付けられる携帯機において、
前記防水部材は、自身の径方向へ対して直交する方向であって且つ前記電池蓋の装着側へその全周に亘って開口する環状の撓み溝を有し、前記電池蓋が前記ケース本体に取り付けられる際、前記電池収容部の開口端縁との係合を通じて、前記電池収容部内に進入する態様で内側へ弾性変形するとともに、この弾性変形により生じる弾性力によって前記電池収容部の内壁を外側に押圧することにより、前記電池蓋を前記ケース本体に取り付けた状態に維持しつつ両者間を液密に保持することを特徴とする携帯機。
【請求項２】
請求項１に記載の携帯機において、
前記電池蓋が前記ケース本体に取り付けられる際に、前記防水部材に対する前記電池収容部の開口端縁に係合する部位には、当該係合に伴う内側への弾性変形の方向を案内する案内部が設けられていることを特徴とする携帯機。
【請求項３】
請求項１又は２に記載の携帯機において、
前記電池蓋には、その裏面に形成されて前記防水部材が設置される防水部材設置部と、同じく表面に形成された意匠溝と、これらを当該意匠溝と前記電池蓋の裏面における前記防水部材が設けられる部位とを電池蓋の内部において連結する連結溝とが形成され、
前記防水部材は、前記電池蓋と異なる色の素材で形成されることを特徴とする携帯機。
【請求項４】
請求項１〜３の何れか一項に記載の携帯機において、
前記電池蓋及び前記ケース本体の何れか一方に形成される係止部と、
前記電池蓋及び前記ケース本体の何れか他方に形成され、前記電池蓋が前記ケース本体に取り付けられて前記防水部材が防水機能を発揮する状態となったときに前記係止部と係合する係止爪とを備えることを特徴とする携帯機。
【発明の詳細な説明】
【技術分野】
【０００１】
本発明は、交換可能に設けられた電池の電力を電源として特定の通信対象との間で所定の無線通信を行う携帯機に関する。
【背景技術】
【０００２】
従来、車両や住宅等に設けられた所定の通信対象と、該車両や住宅等の所有者（ユーザ）が所持する携帯機との間の無線通信を通じて、車両や住宅等の施解錠などを行う電子キーシステムが知られている。携帯機には、交換可能に設けられた電池が内蔵されており、この電池の電力を電源として、携帯機は特定の通信対象と無線通信を行う。
【０００３】
例えば特許文献１には、水等の液体に濡れて電池がショートするのを防ぐために、防水構造を有する携帯機が開示されている。この携帯機は、電池収容部を有するケースとその電池収容部を覆う電池蓋との間にＯリングを介在させている。このＯリングは、電池蓋がケースにネジ止めされることによって圧迫されて、電池蓋とケースとの間を液密に保持することにより、外部から電池収容部内への液体の浸入を抑制する。
【先行技術文献】
【特許文献】
【０００４】
【特許文献１】実開平５−３５９８０号公報
【発明の概要】
【発明が解決しようとする課題】
【０００５】
特許文献１に記載の携帯機では、Ｏリングは、圧迫による反発力によってケースと電池蓋とを互いに引き離す方向へ付勢する。このため、Ｏリングを圧迫させたまま維持して防水機能を発揮させるために、ケースと電池蓋とをネジ止めする必要があった。しかしながら、ネジ止めの構成をケースと電池蓋との双方に設ける必要があり、この点において携帯機の構造が複雑になっていた。
【０００６】
本発明は、上記課題を鑑みてなされたものであって、その目的は、防水機能を得ることができる構造簡素な携帯機を提供することにある。
【課題を解決するための手段】
【０００７】
上記課題を解決するために、請求項１の発明は、特定の通信対象との間で所定の無線通信を行うための電子部品と、前記電子部品に電力を供給するための電池とがケースに収容され、前記ケースは、前記電池が配置される電池収容部が一側面に開口して形成されたケース本体と、弾性を有し前記開口部を囲繞する環状の防水部材と一体形成されるとともに前記電池収容部の開口部を覆う電池蓋とを備え、前記電池蓋は、前記防水部材の径方向に対する直交方向から前記ケース本体に取り付けられる携帯機において、前記防水部材は、自身の径方向へ対して直交する方向であって且つ前記電池蓋の装着側へその全周に亘って開口する環状の撓み溝を有し、前記電池蓋が前記ケース本体に取り付けられる際、前記電池収容部の開口端縁との係合を通じて、前記電池収容部内に進入する態様で内側へ弾性変形するとともに、この弾性変形により生じる弾性力によって前記電池収容部の内壁を外側に押圧することにより、前記電池蓋を前記ケース本体に取り付けた状態に維持しつつ両者間を液密に保持することを要旨とする。
【０００８】
同構成によれば、電池蓋がケース本体に取り付けられると、防水部材は、電池収容部の内壁を外側へ押圧する。防水部材は、電池蓋とケース本体との間を液密的に保持して防水機能を発揮する。また、電池蓋は、弾性変形された防水部材の弾性力によってケース本体に取り付けられた状態に維持される。従って、従来、防水部材を圧迫させて防水機能を発揮させるために必要であった電池蓋とケース本体との間のネジ止め等が不要となるため、その分携帯機の構成を簡素にすることができる。なお、防水部材は、撓み溝によって自身の径方向内側への撓みが可能となる。また、撓み部は一方向へ開口する撓み溝を形成するのみで構成されるので、防水部材と電池蓋とを一体成形する金型の制作が容易となる。
【０００９】
請求項２に記載の発明は、請求項１に記載の携帯機において、前記電池蓋が前記ケース本体に取り付けられる際に、前記防水部材に対する前記電池収容部の開口端縁に係合する部位には、当該係合に伴う内側への弾性変形の方向を案内する案内部が設けられていることを要旨とする。
【００１０】
同構成によれば、防水部材が電池収容部の開口端縁と係合して弾性変形する際、防水部材の内側への弾性変形が案内部により案内される。これにより、弾性部材が他方向へ弾性変形することによって、電池蓋がケース本体に取り付けられない状況を防ぐことができる。
【００１５】
請求項３に記載の発明は、請求項１又は２に記載の携帯機において、前記電池蓋には、その裏面に形成されて前記防水部材が設置される防水部材設置部と、同じく表面に形成された意匠溝と、これらを当該意匠溝と前記電池蓋の裏面における前記防水部材が設けられる部位とを電池蓋の内部において連結する連結溝とが形成され、前記防水部材は、前記電池蓋と異なる色の素材で形成されることを要旨とする。
【００１６】
同構成によれば、防水部材が電池蓋と一体成形される際に、防水部材の一部が、電池蓋の裏面における防水部材設置部に設けられる防水部材に対応する部位から連結溝を介して意匠溝まで浸潤する。電池蓋と異なる色の素材の防水部材によって満たされることにより意匠溝と電池蓋とのコントラストを高めることが可能になる。従って、意匠溝よって形成された意匠をユーザにより強く認識させることが可能となる。
【００１７】
請求項４に記載の発明は、請求項１〜３の何れか一項に記載の携帯機において、前記電池蓋及び前記ケース本体の何れか一方に形成される係止部と、前記電池蓋及び前記ケース本体の何れか他方に形成され、前記電池蓋が前記ケース本体に取り付けられて前記防水部材が防水機能を発揮する状態となったときに前記係止部と係合する係止爪とを備えることを要旨とする。
【００１８】
防水部材が、電池収容部の開口部を囲繞して防水機能を発揮できる状態となった場合であっても、防水部材は弾性を有しているため、ユーザは防水部材が防水機能を発揮できる状態となったか否かを判断しにくい可能性がある。そこで、同構成によれば、係止部と係止爪とを設け、防水部材が防水機能を発揮する状態となったときに両者が係合する。これにより、電池蓋とケース本体との相対的な位置決めがなされるので、ユーザは、防水部材が防水機能を発揮できる状態となったことを判断しやすくなる。
【発明の効果】
【００１９】
本発明では、防水機能を得ることができる構造簡素な携帯機を提供することができる。
【図面の簡単な説明】
【００２０】
【図１】本発明の車両の電子キーシステムの概略図。
【図２】第１の実施形態を示す電子キーの分解斜視図。
【図３】同実施形態の電池蓋を裏側からみた平面図。
【図４】同実施形態の電池蓋を表側からみた平面図。
【図５】図３のＡ−Ａ線に沿った断面図。
【図６】電池蓋とケース本体とが組み付けられた際の図３のＡ−Ａ線に沿った断面図。
【図７】本発明の第２の実施形態を示す、図３のＡ−Ａ線に対応する電池蓋の断面図。
【図８】同実施形態における電池蓋とケース本体とが組み付けられた際の図３のＡ−Ａ線に対応する断面図。
【図９】（ａ）は本発明の変形例を示す電子キーの分解斜視図、（ｂ）は（ａ）の電池蓋を裏側から見た拡大斜視図。
【図１０】図９に示すＢ−Ｂ線に沿った断面図。
【図１１】本発明の変形例を示す図６に示す拡大図にあたる部分の断面図。
【発明を実施するための形態】
【００２１】
以下、本発明を車両の電子キーシステムにおいて、ドアの施解錠に使用される電子キーに具体化した一実施形態を図面に従って説明する。
図１に示すように、電子キーシステム１は、携帯機としての電子キー２と、車両に搭載された通信対象としての施解錠制御装置３とを備えている。施解錠制御装置３は、車両の周囲の所定のエリアにリクエスト信号Ｓｒを間欠送信する。このリクエスト信号Ｓｒは、ＩＤコードの送信を電子キー２に要求する旨の信号である。電子キー２は、前記リクエスト信号Ｓｒを受信すると、予め自身のメモリに記録されたＩＤコードを含むＩＤ信号Ｓｉを送信する。施解錠制御装置３は、電子キー２から送信されてきたＩＤ信号Ｓｉを受信すると、このＩＤ信号Ｓｉに含まれるＩＤコードと予め自身のメモリに記憶されたＩＤコードとを照合して、両ＩＤコードが一致したときのみドアを解錠する。一方、ユーザが電子キー２を所持して車両から離間して所定のエリア外に移動すると、施解錠制御装置３は、電子キー２から送信されるＩＤ信号Ｓｉを受信不能となる。施解錠制御装置３は、電子キー２からのＩＤ信号Ｓｉが受信不能になると車両のドアを施錠する。このように、この電子キーシステム１では、ユーザが車両に触れることなくドアの施解錠が行われる。
【００２２】
図２に示すように、電子キー２は、施解錠制御装置３との間で無線通信を行うための電子部品５等が収容されるケース本体６と、該ケース本体６に対して着脱可能に設けられる電池蓋７と、当該電池蓋７を覆う態様でケース本体６に対して着脱可能に設けられるカバー８とからなる。カバー８は、ケース本体６とともに電子キー２の外観意匠を構成する。ケース本体６、電池蓋７、及びカバー８は、ＰＢＴ（ポリブチレンテレフタラート）等の合成樹脂材料により形成される。本例では、ケース本体６、電池蓋７、及びカバー８は、黒色に着色される。なお、電子キー２は、全体として直方体状に形成されている。
【００２３】
ケース本体６（正確には、カバー８が装着される一段低く形成された部分）には、電子部品５に隣接する収容部１０が形成されている。収容部１０の上面には、円筒状の電池収容部１１が形成されている。電池収容部１１の開口周縁部には、環状の段差部１２が形成されている。電池収容部１１には、ボタン電池９が収容される。また、収容部１０の外周面には、２つの係止部１３が形成されている。これら係止部１３は、ケース本体６の左右方向において互いに反対側に設けられている。なお、電池収容部１１には、電子部品５に連結された電極が設けられている。電池９は、電極を介して電子部品５へ電源電圧を供給する。
【００２４】
図３に示すように、電池蓋７は、２つの係止爪２１を備えている。これら係止爪２１は、左右方向において互いに反対側に設けられている。係止爪２１は、電池蓋７の裏面側へ延びている。係止爪２１は係止部１３に対応し、これに係合する。また、電池蓋７の裏面には、円柱状の防水部材設置部２２が突設されている。防水部材設置部２２の外周面には、環状の防水部材２６が設けられている。防水部材２６は、防水部材設置部２２の外周面に密着している。防水部材２６は、段差部１２に対応する。また、図４に示すように、電池蓋７の表面には、意匠溝２３が形成されている。本例では、意匠溝２３は、電池交換をイメージする図柄とされている。図５に示すように、意匠溝２３は、電池蓋７の内部に形成された連結溝２４を介して電池蓋７の裏面における防水部材設置部２２との境界部分に連通している。で連結されている。防水部材２６は、常温で弾性を有する朱色のシリコンゴムで形成される。防水部材２６は、インサート成型によって電池蓋７と一体に設けられる。シリコンゴムは、インサート成型時に連結溝２４を介して意匠溝２３に浸入する（アンカー効果）。シリコンゴムで満たされた意匠溝２３のデザイン（意匠）は、電池蓋７とのコントラストによって映える。更に、意匠溝２３に浸潤したシリコンゴムは意匠溝２３からわずかに露出し、この露出した部分は、ユーザが電池蓋７を把持したときに滑り止めとしての効果を発揮する。
【００２５】
図５に拡大して示すように、防水部材２６において、電池蓋７の裏面と反対側の面には、撓み溝２６ａが全周に亘って形成されている。また、防水部材２６の外周面には、互いに鈍角をなす案内面２６ｂと斜面２６ｃとが形成されている。案内面２６ｂは防水部材２６の裏側（図中上側）に、斜面２６ｃは防水部材２６の表側（図中下側）に、それぞれ形成されている。案内面２６ｂは、図中下側（電池蓋７の内面）に向かうに従って徐々に外側に張り出している。斜面２６ｃは、図中下側に向かうに従って内側に傾斜している。防水部材２６の外周面には、案内面２６ｂと斜面２６ｃとによって頂部２６ｄが形成されている。防水部材２６は、案内面２６ｂを介して外側から内側へ向けて外力が作用したとき、撓み溝２６ａによって径方向内側へ撓む。なお、この防水部材２６の幅、すなわち防水部材設置部２２の壁面から頂部２６ｄまでの距離である幅Ｗ１は、図６に拡大して示すように、段差部１２の幅Ｗ２よりも長く設定されている。
【００２６】
次に、ケース本体６への電池蓋７、カバー８、及び電池９の組み付け態様について説明する。
図２に示すように、ケース本体６には、電池９、電池蓋７、及びカバー８がこの並び順で取り付けられる。まず、電池９を電池収容部１１へ収容し、この後、電池蓋７をケース本体６へ取り付ける。この際には、電池蓋７の２つの係止爪２１とケース本体６の２つの係止部１３とを対応させる。すると、防水部材２６と段差部１２との上下方向及び左右方向の位置が対応する。この状態で、電池蓋７をケース本体６へ向けて移動させる。すると、図６に示すように、防水部材２６は、その幅Ｗ１が段差部１２の幅Ｗ２よりも長く設定されているため、案内面２６ｂが収容部１０の先端面（段差部１２の開口周縁部）と当接する。さらに電池蓋７をケース本体６へ向かって押し込むと、防水部材２６には、案内面２６ｂによって変換された内側へ押圧する力が作用する。撓み溝２６ａにより、防水部材２６の径方向内側への弾性変形が許容されるので、防水部材２６は、径方向内側へ撓みつつ、同防水部材２６の幅Ｗ１が段差部１２の幅Ｗ２となるように弾性変形（縮幅）する。電池蓋７は、その裏面が、収容部１０の先端面に当接する位置にまで押し込まれる。防水部材２６の頂部２６ｄは段差部１２の内周面と密接する態様に維持される。これにより、電池蓋７と段差部１２との間の液密性が確保される。なお、電池蓋７の裏面と収容部１０の表面とが当接したとき、係止爪２１と係止部１３とが係合する。ユーザは、この係合によって防水部材２６が、防水機能を発揮する状態となっていることを容易に認識することができる。なお、電池蓋７自体は、防水部材２６の弾性力により、収容部１０に保持された状態が維持される。
【００２７】
そして、最後にケース本体６にカバー８を取り付ける。ケース本体６には図示しない係合部が、カバー８には図示しない係合爪が、それぞれ設けられており、両者が係合することにより、カバー８はケース本体６に固定される。
【００２８】
一方、電池交換等で電池９を電子キー２から取り外す場合は、上記組み付けの場合と、逆の態様でカバー８等が取り外される。このとき、電池蓋７は、係止部１３と係止爪２１との係合を解除しても、防水部材２６の弾性力によって、その位置（取り付け状態）が維持されている。従って、ユーザは、係止部１３と係止爪２１との係合を解除した後、電池蓋７をケース本体６から引き離す方向へ変位させることにより、電池蓋７をケース本体６から取り外すことができる。こうして、電池収容部１１の開口部が開放されるので、ユーザは、電池収容部１１に収容された電池９の交換を行うことができる。
【００２９】
以上詳述したように、本実施形態によれば、以下に示す効果が得られるようになる。
（１）電池蓋７がケース本体６に取り付けられると、防水部材２６は、自身の径方向内側へ弾性変形してこの状態に維持される。すなわち、防水部材２６は、環状の段差部１２の内周面を外側へ向けて押圧した状態に維持される。こうして、防水部材２６は、電池蓋７と段差部１２（ケース本体６）との間を液密的に保持する。従って、従来、防水部材を圧迫させて防水機能を発揮させるために必要であった電池蓋とケース本体との間のネジ止め等が不要となるため、その分、電子キー２の構成、詳しくは防水に係る構成を簡素にすることができる。
【００３０】
（２）電池蓋７がケース本体６に取り付けられる際、防水部材２６の撓む方向は、案内面２６ｂによって案内される。これにより、防水部材２６は、他方向へ弾性変形することなく径方向内側へ撓み、その幅Ｗ１が短くなるように弾性変形する。すなわち、案内面２６ｂを省略した構成も採用可能であるものの、この場合には、収容部１０の先端面等に起因して防水部材２６が他方向へ撓む（弾性変形）ことにより、電池蓋７のケース本体６への取り付けが阻害されるおそれがある。本例によれば、こうした懸念はない。従って、電池蓋７は、ケース本体６へ向けて押し込む作業のみで、ケース本体６に取り付けられるとともに、防水部材２６により両者間の液密が確保される。すなわち、ネジ止めなどの作業も不要となるので、両者の取り付けが容易になる。
【００３１】
（３）環状の防水部材２６には、自身の径方向と直交する一方向へ開口する撓み溝２６ａが全周に亘って形成されている。防水部材２６は、撓み溝２６ａによって自身の径方向への撓みが可能となる。このように、撓み溝２６ａは一方向へ開口する開口部を形成するのみで構成されるので、防水部材２６と電池蓋７とを一体成形する金型の制作が容易となる。
【００３２】
（４）防水部材２６が電池蓋７と一体成形される際に、防水部材２６の形成材料である朱色シリコンゴムが防水部材設置部２２の近傍の連結溝２４を介して意匠溝２３に浸潤する。意匠溝２３がシリコンゴムによって満たされることにより、当該意匠溝２３が表現する意匠がシリコンゴムの朱色で表現されることとなる。すなわち、シリコンゴムと黒色である電池蓋７とのコントラストが強くなることにより、当該意匠をユーザに認識させやすくなる効果が得られる。また、意匠溝２３に浸潤したシリコンゴムは、わずかに外部に露出した状態で固化するので、電池蓋７を把持したユーザの滑り止めとしての機能を発揮するとともに、ユーザの触感を刺激する。
【００３３】
（５）防水部材２６が、電池収容部１１の開口部を囲繞して防水機能を発揮できる状態となった場合であっても、防水部材は弾性を有しているため、ユーザは防水部材が防水機能を発揮できる状態となったか否かを判断しにくい可能性がある。そこで、本実施形態によれば、防水部材２６が電池蓋７と段差部１２との間を液密的に保持できる状態となったときに係止部１３と係止爪２１とが係合する。これにより、ユーザは、防水部材２６が防水機能を発揮できる状態となったことを判断しやすくなる。
【００３４】
（６）電池蓋７は、防水部材２６の弾性力によってケース本体６に取り付けられた状態に維持される。このとき、防水部材２６は、電池蓋７とケース本体６との間を液密に保持する。すなわち、本実施形態では、両者をネジ等でつなぎ止めておく必要がない。従って、ネジ止めに必要な構成を簡略することができる分、ケース本体６の小型化が可能となる。
【００３５】
（第２の実施形態）
以下、本発明を具体化した第２の実施形態を図面に従って説明する。なお、本実施形態と上記第１実施形態との主たる相違点は、防水部材の構成である。このため、説明の便宜上、第１実施形態と同一の部分については同一の符号を付すこととして、その説明を省略する。
【００３６】
図７に示すように、電池蓋７には、第１の実施形態と同様に環状の防水部材３０がインサート成形される。防水部材３０の外周面（外壁面）には、外側に向かって開口する撓み溝３０ａが全周に亘って形成されている。また、防水部材３０において、撓み溝３０ａの上側（裏側）の部分には、径方向内側から外側へ向かって徐々に電池蓋７の内底面（表側）に近接するように傾斜する案内面３０ｂが形成されている。防水部材３０には、撓み溝３０ａと案内面３０ｂとによって撓み部としての突出部３１が形成されている。防水部材３０は、撓み溝３０ａにより表側への弾性変形が許容される。このため、案内面３０ｂを介して裏側から表側へ向けて外力が作用したとき、突出部３１は、が表側へ向かって湾曲するように弾性変形する。なお、この防水部材３０の幅、すなわち防水部材設置部２２の壁面から突出部３１の頂部３０ｃまでの距離である幅Ｗ３は、段差部１２の幅Ｗ２よりも長く設定されている。
【００３７】
次に、このように構成された電池蓋７とケース本体６との組み付け態様について説明する。
図２に示すように、防水部材３０と一体形成された電池蓋７は、上記第１の実施形態と同様にケース本体６に取り付けられる。その際、図８に示すように、突出部３１（案内面３０ｂ）は、収容部１０の先端面（段差部１２の開口周縁部）と当接する。この状態から電池蓋７をケース本体６に向けて押し込むと、突出部３１は、段差部１２の開口周縁部により、電池蓋７の内底面に向けて押圧される。これにより、突出部３１は、表側から径方向内側へ向かって湾曲するように弾性変形する。すなわち、防水部材３０は、その幅Ｗ３が段差部１２の幅Ｗ２となるように縮幅される。電池蓋７のケース本体６に対する取り付けが完了した状態において、防水部材３０の頂部３０ｃは段差部１２の内周面と密接する態様に維持される。防水部材３０は弾性を有しているので、突出部３１は段差部１２の内壁面を自身の径方向外側へ向かって押圧する。これにより、電池蓋７と段差部１２との間の液密性が確保される。なお、防水部材３０の防水性能は、突出部３１と段差部１２の内壁面との間の接触面積で決定される。すなわち、より高い防水機能を得たい場合には、突出部３１の径方向への突出長を長くすればよい。このようにすれば、防水部材３０が段差部１２に収容された際の突出部３１と段差部１２の内壁との接触面積が大きくなるので、高い防水機能を得ることができるようになる。
【００３８】
以上詳述したように、本実施形態によれば、上記第１の実施形態の（１），（２），（４）〜（６）の効果に加えて、以下に示す効果が得られるようになる。
（７）突出部３１の突出長を変更するのみで、携帯機の用途に応じて必要な防水性を容易に確保することができる。
【００３９】
なお、上記実施形態は以下のように変更してもよい。
・上記第１の実施形態において、案内面２６ｂを省略してもよい。このようにしても、電池蓋７をケース本体６に装着することができる。また、両者間の液密性を確保することができる。更に、案内面２６ｂを省略した上で、段差部１２に案内面を形成してもよい。具体的には、図１１に示すように、段差部１２の内周面１２ａにおける開口端側の部分には、案内面１２ｂが全周に亘って形成されている。案内面１２ｂは、段差部１２の開口端側へ向かうにつれて拡径するテーパ面とされている。このように、段差部１２が形成されれば、電池蓋７をケース本体６へ装着するとき、防水部材２６の外側の端部が案内面１２ｂと当接する。電池蓋７をさらにケース本体６へ押し込むと、案内面１２ｂは、防水部材２６を径方向内側へ向かって押圧する。すると、防水部材２６は、撓み溝２６ａの存在により径方向内側へ弾性変形する。そして、防水部材２６の端部が案内面１２ｂを乗り越える位置まで押し込まれた以降、防水部材２６は、自身の弾性力によって段差部１２の内周面１２ａを径方向外側へ押圧する。これにより、電池蓋７とケース本体６との間の液密性が確保される。
【００４０】
このように、案内面２６ｂを省略する場合には、電池蓋７をケース本体６へ装着する際に、防水部材２６が防水に好適な方向へ弾性変形するのを補助する構成を設けることが望ましい。なお、第２の実施形態についても同様の構成を採用することが可能である。
【００４１】
・上記各実施形態において、電池蓋は、電子キー２の外観意匠を形成するカバーを兼用してもよい。このように構成すれば、電池蓋とカバーとが一体となる分、電子キー２の全体として小型化が図られる。具体的には、図９（ａ）に示すように、電子キー４０は、電子部品５を収容するケース本体４１と、これに組み付けられるとともに電子キー４０の外観意匠を構成する電池蓋５１とからなる。ケース本体４１には、電子部品５と隣接して四角板状の電池蓋５１が設置される電池蓋設置部４４が形成されている。電池蓋設置部４４の内底面には環状溝４５と、更にその内側にボタン電池４９を収容する電池収容部４６とが形成されている。電池蓋設置部４４の四隅には、電池蓋５１を係止する係止部４４ａが凹設されている。
【００４２】
図９（ｂ）に示すように、電池蓋５１の裏面には、環状の防水部材設置部５２が形成されている。電池蓋５１の防水部材設置部５２の外周面には、上記第１の実施形態と同様に環状の防水部材５３がインサート成形される。防水部材設置部５２の内側の面から防水部材５３の外側の頂部までの幅（距離）は、環状溝４５の溝幅よりも長く設定されている。なお、電池蓋５１の裏面の四隅には、係止爪５１ａが形成されている。この係止爪５１ａは係止部４４ａと対応する。
【００４３】
このように構成された電池蓋５１は、ケース本体４１に向かって押し込まれることにより、ケース本体４１の電池蓋設置部４４に装着される。防水部材設置部５２及び防水部材５３は、環状溝４５に挿入される。このとき、防水部材設置部５２及び防水部材５３の幅の合計が環状溝４５の溝幅よりも長く設定されているため、防水部材５３には、環状溝４５の先端面が当接する。この状態で電池蓋５１をケース本体４１へ向けて更に押し込むと、防水部材５３は、上記第１の実施形態と同様に、径方向内側に弾性変形する。そして、防水部材設置部５２及び防水部材５３は、環状溝４５に収容される。このように、電池蓋５１がケース本体４１に組み付けられた状態においては、このとき、弾性変形された防水部材５３が、環状溝４５の内壁面を径方向外側に押圧する。これにより、電池蓋５１と環状溝４５との間を液密性が確保される。また、このとき、係止爪５１ａが係止部４４ａに係止される。これにより、ユーザは、防水部材５３が防水機能を発揮できる状態となったことを認識することができる。なお、第２の実施形態の防水部材３０を防水部材設置部５２に設けてもよい。
【００４４】
・上記各実施形態において、意匠溝は、電池蓋の表面だけではなく裏面にも形成し、これを電池蓋における防水部材の形成部位と連結してもよい。具体的には、図９（ａ），（ｂ）に示すように、電池蓋５１は、表面に形成される意匠溝５５と、裏面に形成される意匠溝５６とを備える。図１０に示すように、これら意匠溝５５，５６は、電池蓋５１の内部に形成される連結溝５７によって電池蓋５１の裏面における防水部材５３の形成部位に連通している。
【００４５】
このように形成された意匠溝５５，５６には、シリコンゴムからなる防水部材５３が電池蓋５１とインサート成形される際に、シリコンゴムが連結溝５７を介して浸潤する。シリコンゴムは、意匠溝５５，５６から電池蓋５１の表面と裏面に露出した状態で固化する。従って、当該シリコンゴムは、ユーザが電池蓋５１を把持した際の滑り止めとして機能する。なお、朱色のシリコンゴムで満たされた意匠溝５５，５６のデザイン（意匠）が、電池蓋５１とのコントラストによって映えることは言うまでもない。
【００４６】
・上記各実施形態において、防水部材２６（３０）は、円形に限らず、例えば方形等であってもよい。すなわち、防水部材２６（３０）は、環状をなしていればよい。
・上記各実施形態において、意匠溝２３にシリコンゴムを浸潤させなくてもよい。すなわち、連結溝２４は、必ずしも形成する必要はない。また、意匠溝２３自体も必ずしも形成する必要はない。
【００４７】
・上記各実施形態において、係止部１３（４４ａ）と係止爪２１（５１ａ）は、必ずしも設ける必要はない。
・上記各実施形態において、係止部１３（４４ａ）と係止爪２１（５１ａ）との位置関係が逆であってもよい。すなわち、電池蓋７に係止部１３（４４ａ）が、ケース本体に係止爪２１（５１ａ）が形成されていてもよい。
【００４８】
・上記各実施形態において、電池蓋７と防水部材２６とは一体的に形成されていればよい。すなわち、インサート成形に限らず、２色成形などであってもよい。
・上記各実施形態において、シリコンゴムは朱色に限らず他の色であってもよい。すなわち、電池蓋７（５１）と異なる色であればよい。従って、電池蓋７の色も黒色に限定されるものではない。
【００４９】
・上記各実施形態において、段差部１２は省略してもよい。
・上記各実施形態において、防水部材２６はシリコンゴムに限らず常温弾性を有し液体の通過を防止する素材であればよい。
【符号の説明】
【００５０】
Ｓｉ…ＩＤ信号、Ｓｒ…リクエスト信号、Ｗ１，Ｗ２，Ｗ３…幅、１…電子キーシステム、２，４０…電子キー、３…施解錠制御装置、５…電子部品、６，４１…ケース本体、７，５１…電池蓋、８…カバー、９，４９…電池（ボタン電池）、１０…収容部、１１，４６…電池収容部、１２…段差部、１２ａ…内周面、１２ｂ，２６ｂ，３０ｂ…案内面、１３，４４ａ…係止部、２１，５１ａ…係止爪、２２，５２…防水部材設置部、２３，５５，５６…意匠溝、２４，５７…連結溝、２６，３０，５３…防水部材、２６ａ，３０ａ…撓み溝、２６ｃ…斜面、２６ｄ，３０ｃ…頂部、３１…突出部、４５…環状溝。
【図１】
0005480043.tif 000002
【図２】
0005480043.tif 000003
【図３】
0005480043.tif 000004
【図４】
0005480043.tif 000005
【図５】
0005480043.tif 000006
【図６】
0005480043.tif 000007
【図７】
0005480043.tif 000008
【図８】
0005480043.tif 000009
【図９】
0005480043.tif 000010
【図１０】
0005480043.tif 000011
【図１１】
0005480043.tif 000012